(57)【要約】【課題】  ペンによる入力のみを有効に受け付ける状態を簡易且つ確実に構成し得る情報処理装置を提供する。【解決手段】  情報処理装置１は、画面を表示するとともに、画面に対するタッチ入力を受け付ける第１受付部１３３と、画面に対する筆記具による入力を受け付ける第２受付部１３４と、を有する表示入力ユニット１００と、画面に対して操作入力を行うための操作部２２０を有する操作ユニット２００と、制御部１０と、を備え、画面１３２に対する入力に操作ユニット２００を用いる第１状態と、画面１３２に対する入力に操作ユニット２００を用いない第２状態との間で、操作ユニット２００に対する表示入力ユニット１００の状態が切り替え可能であり、制御部１０は、表示入力ユニット１００が第２状態にあるとき、第２受付部１３４による入力のみを有効にする。【選択図】図１
2019028598.tif 000002
【特許請求の範囲】
【請求項１】
画面を表示するとともに、前記画面に対するタッチ入力を受け付ける第１受付部と、前記画面に対する筆記具による入力を受け付ける第２受付部と、を有する表示入力ユニットと、
前記画面に対して操作入力を行うための操作部を有する操作ユニットと、
制御部と、を備え、
前記画面に対する入力に前記操作ユニットを用いる第１状態と、前記画面に対する入力に前記操作ユニットを用いない第２状態との間で、前記操作ユニットに対する前記表示入力ユニットの状態が切り替え可能であり、
前記制御部は、前記表示入力ユニットが前記第２状態にあるとき、前記第２受付部による入力のみを有効にする、情報処理装置。
【請求項２】
前記表示入力ユニットは、前記表示入力ユニットの表示面と前記操作ユニットの操作面とのなす角が変化可能に前記操作ユニットに設置され、
前記表示面と前記操作面とが互いに反対方向を向くように、前記表示入力ユニットと前記操作ユニットとが重なったことを検出する検出部を備え、
前記制御部は、前記検出部からの検出結果に基づき、前記表示面と前記操作面とが互いに反対方向を向く状態を前記第２状態として、前記第２受付部による入力のみを有効にする、請求項１に記載の情報処理装置。
【請求項３】
前記検出部は、前記表示入力ユニットおよび前記操作ユニットの一方に設けられた磁気センサと、前記表示入力ユニットおよび前記操作ユニットの他方に設けられ、前記表示面と前記操作面とが互いに反対方向を向く状態にあるときに互いに対向する磁石である、請求項２に記載の情報処理装置。
【請求項４】
前記表示入力ユニットは、前記操作ユニットに着脱可能に設置され、
前記制御部は、前記表示入力ユニットに配置され、
前記制御部は、前記表示入力ユニットから前記操作ユニットが取り外された状態を前記第２状態として、前記第２受付部による入力のみを有効にする、請求項１に記載の情報処理装置。
【請求項５】
前記表示入力ユニットに前記操作ユニットが装着されると互いに接合される端子が前記表示入力ユニットおよび前記操作ユニットにそれぞれ設けられ、
前記制御部は、前記端子が電気的に接合されていない状態を前記第２状態として検出する、請求項４に記載の情報処理装置。
【請求項６】
前記制御部は、前記操作ユニットに対する前記表示入力の状態が前記第２状態にあるときに、所定の操作を受け付けると、第１受付部による入力を有効にする、請求項１ないし５の何れか一項に記載の情報処理装置。
【請求項７】
前記筆記具と前記第２受付部は、電磁式のデジタイザを構成する、請求項１ないし６の何れか一項に記載の情報処理装置。
【請求項８】
画面に対する操作入力を行うための操作ユニットが着脱可能な表示入力ユニットであって、
前記画面を表示する表示部と、
前記画面に対するタッチ入力を受け付ける第１受付部と、
前記画面に対する筆記具による入力を受け付ける第２受付部と、
制御部と、を備え、
前記制御部は、前記表示入力ユニットから前記操作ユニットが取り外されたことに基づいて、前記第２受付部に対する前記筆記具による入力のみを有効にする、表示入力ユニット。
【発明の詳細な説明】
【技術分野】
【０００１】
本発明は、手書き入力およびペン入力デバイスを備えた情報処理装置に関する。
【背景技術】
【０００２】
タブレット端末やノートブック型の情報処理装置では、ペンによる入力（単に、「ペン入力」と称する。）および指等によるタッチ入力（「タッチ入力」と称する。）が可能なものが知られている。このような情報処理装置では、ペン入力が行われる際に、ユーザの手指が画面に触れるなどして、意図しないタッチ入力がなされることを防止するための構成が採用され得る。たとえば、特許文献１に記載されているタブレット端末では、ユーザがタッチ切り替えスイッチをオンに設定すると、画面に対してタッチ入力が有効に受け付けられ、タッチ切り替えスイッチをオフに設定すると、タッチ入力が無効となる。
【先行技術文献】
【特許文献】
【０００３】
【特許文献１】特開２０１６−２１８８８４号公報
【発明の概要】
【発明が解決しようとする課題】
【０００４】
しかしながら、特許文献１に記載されているタブレット端末では、ペンによる入力に際して、ユーザがタッチ切り替えスイッチをオフに設定することを忘れていた場合、タッチ入力が有効に受け付けられてしまう。また、装置に複数のスイッチが配置されている場合は、タッチ入力を無効にするために、どのスイッチを操作すべきかが紛らわしい。このように、特許文献１に記載されているタブレット端末は、ユーザの利便性という点で改善の余地があった。
【０００５】
かかる課題に鑑み、本発明は、ペンによる入力のみを有効に受け付ける状態を簡易且つ確実に構成し得る情報処理装置を提供することを目的とする。
【課題を解決するための手段】
【０００６】
本発明の第１の態様は、情報処理装置に関する。この態様に係る情報処理装置は、表示入力ユニットと、操作ユニットと、制御部と、を備える。表示入力ユニットは、画面を表示するとともに、画面に対するタッチ入力を受け付ける第１受付部と、画面に対する筆記具による入力を受け付ける第２受付部と、を有する。操作ユニットは、画面に対して操作入力を行うための操作部を有する。画面に対する入力に前記操作ユニットを用いる第１状態と、画面に対する入力に操作ユニットを用いない第２状態との間で、操作ユニットに対する表示入力ユニットの状態が切り替え可能である。制御部は、表示入力ユニットが第２状態にあるとき、第２受付部による入力のみを有効にする。
【０００７】
本態様に係る情報処理装置によれば、表示入力ユニットが第２状態にあるときに、自動で、装置の状態が第２受付部のみ有効な状態に設定される。すなわち、画面に対する入力は、ペン入力のみが可能となる。よって、ユーザは、操作ユニットに対する表示入力ユニットの状態を切り替えるのみで、確実に、装置をペン専用の入力モードに設定することができる。
【０００８】
なお、ユーザは、画面に対する入力手段として操作ユニットを用いない場合に、表示入力ユニットを第２状態に設定する。したがって、表示入力ユニットが第２状態にある場合、ユーザは、画面に対する入力方法として、ペン入力またはタッチ入力の何れかを想定している。本態様に係る情報処理装置によれば、表示入力ユニットが第２状態にある場合に、自動で、第２受付部による入力のみが有効となるため、表示入力ユニットを第２状態に設定した後、ユーザが、とくに、ペンを用いた入力を積極的に行おうとする場合に、画面に対する入力操作を極めて円滑に進めることができる。これにより、ユーザの利便性を顕著に向上させることができる。
【０００９】
本態様に係る情報処理装置において、表示入力ユニットは、表示入力ユニットの表示面と操作ユニットの操作面とのなす角が変化可能に、操作ユニットに設置され得る。この場合、情報処理装置は、表示面と操作面とが互いに反対方向を向くように、表示入力ユニットと操作ユニットとが重なったことを検出する検出部を備え、制御部は、検出部からの検出結果に基づき、表示面と操作面とが互いに反対方向を向く状態を第２状態として、第２受付部による入力のみを有効にするよう構成され得る。
【００１０】
この構成によれば、ユーザは、表示面と操作面とが互いに反対方向を向くように、表示入力ユニットと操作ユニットとを重ねるだけで、簡易且つ確実に、装置をペン専用の入力モードに設定できる。また、ユーザは、その後、画面を自身に向けて、そのまま、ペン専用の入力モードで入力を進めることができる。よって、ユーザの利便性を顕著に向上させることができる。
【００１１】
本態様に係る情報処理装置において、検出部は、表示入力ユニットおよび操作ユニットの一方に設けられた磁気センサと、表示入力ユニットおよび操作ユニットの他方に設けられ、表示面と操作面とが互いに反対方向を向く状態にあるときに互いに対向する磁石とを備えるよう構成され得る。
【００１２】
この構成によれば、検出部を簡単な構成にでき、且つ、表示入力ユニットが第２状態であることを円滑に検出できる。
【００１３】
本態様に係る情報処理装置において、表示入力ユニットは、操作ユニットに着脱可能に設置され、制御部は、表示入力ユニットに配置される。制御部は、表示入力ユニットから操作ユニットが取り外された状態を第２状態として、第２受付部による入力のみを有効にする。
【００１４】
この構成によれば、表示入力ユニットを操作ユニットから取り外すだけで、簡易且つ確実に、装置をペン専用の入力モードに設定できる。また、ユーザは、その後、取り外した表示入力ユニットを、たとえば、画面が自身に向く状態で机上等に置くことにより、そのまま、ペン専用の入力モードで入力を進めることができる。よって、ユーザの利便性を顕著に向上させることができる。
【００１５】
本態様に係る情報処理装置において、表示入力ユニットに操作ユニットが装着されると互いに接合される端子が表示入力ユニットおよび操作ユニットにそれぞれ設けられ得る。制御部は、端子が電気的に接合されていない状態を第２状態として検出するよう構成され得る。
【００１６】
この構成によれば、端子の電気的な状態から、表示入力ユニットが第１状態であるのか、第２状態であるのかを適切に検出することができる。
【００１７】
本態様に係る情報処理装置において、制御部は、操作ユニットに対する表示入力の状態が第２状態にあるときに、所定の操作を受け付けると、第１受付部による入力を有効にすることが好ましい。
【００１８】
この構成によれば、画面に対してタッチ入力を行うことが可能となる。このため、ユーザは、表示入力ユニットが第１状態から第２状態に切り替わった後、タッチ入力を所望するような場合に、所定の操作を行うことによって、画面に対するタッチ入力を円滑に進めることができる。
【００１９】
上記情報処理装置において、筆記具と第２受付部は、電磁式のデジタイザを構成することが好ましい。これにより、ペン入力を、簡素な構成で実現できる。
【００２０】
本発明の第２の態様は、画面に対する操作入力を行うための操作ユニットが着脱可能な表示入力ユニットに関する。この態様に係る表示ユニットは、画面を表示する表示部と、画面に対するタッチ入力を受け付ける第１受付部と、画面に対する筆記具による入力を受け付ける第２受付部と、制御部と、を備える。制御部は、表示入力ユニットから操作ユニットが取り外されたことに基づいて、第２受付部に対する筆記具による入力のみを有効にする。
【００２１】
本態様に係る表示入力ユニットによれば、操作ユニットから表示入力ユニットを取り外すだけで、簡易且つ確実に、装置をペン専用の入力モードに設定できる。また、ユーザは、その後、取り外した表示入力ユニットを、たとえば、画面が自身に向く状態で机上等に置くことにより、そのまま、ペン専用の入力モードで入力を進めることができる。よって、ユーザの利便性を顕著に向上させることができる。
【発明の効果】
【００２２】
以上のとおり、本発明によれば、ペンによる入力のみを有効に受け付ける状態を簡易且つ確実に構成し得る情報処理装置を提供することができる。
【００２３】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００２４】
【図１】図１（ａ）は、実施形態１に係る情報処理装置が通常の姿勢にあるときの状態を示す斜視図であり、図１（ｂ）は、実施形態１に係る情報処理装置において、表示入力ユニットが操作ユニットの裏側に折り畳まれたときの状態を示す斜視図である。
【図２】図２は、実施形態１に係る表示入力ユニットの側面視における断面を模式的に示した図である。
【図３】図３（ａ）は、実施形態１に係る情報処理装置が通常の姿勢にあるときの状態を側方から見た模式図であり、図３（ｂ）は、実施形態１に係る情報処理装置において、表示入力ユニットが操作ユニットの裏側に折り畳まれた状態を側方から見た模式図である。
【図４】図４は、実施形態１に係る情報処理装置の構成を示すブロック図である。
【図５】図５は、実施形態１に係る情報処理装置の入力モードの設定を説明するフローチャートである。
【図６】図６（ａ）は、実施形態２に係る情報処理装置において、表示入力ユニットに操作ユニットが装着された状態を示す斜視図であり、図６（ｂ）は、実施形態２に係る情報処理装置において、表示入力ユニットから操作ユニットが取り外された状態を示す斜視図である。
【図７】図７は、実施形態２に係る情報処理装置において、表示入力ユニットの背面下部の構成を示す図である。
【図８】図８は、実施形態２に係る情報処理装置の構成を示すブロック図である。
【発明を実施するための形態】
【００２５】
＜実施形態１＞
[情報処理装置の構成]
図１（ａ）は、実施形態１に係る情報処理装置１が通常の姿勢にあるときの状態を示す斜視図であり、図１（ｂ）は、実施形態１に係る情報処理装置１において、表示入力ユニット１００が操作ユニット２００の裏側に折り畳まれた状態を示す斜視図である。図１（ａ）には、情報処理装置１の前方、右方、上方を示す矢印が付されている。各方向は、他の図面に関しても同様に適用される。
【００２６】
図１（ａ）および（ｂ）に示すように、情報処理装置１は、表示入力ユニット１００と、操作ユニット２００と、を備える。
【００２７】
表示入力ユニット１００は、筐体１１０と、デジタイザペン１２０と、タッチパネル１３０と、を備える。筐体１１０は、正面１１０ａおよび裏面１１０ｂを有する所定厚みの直方体形状を有する。デジタイザペン１２０は、筐体１１０の内部に設けられた収容部１１１に、筐体１１０の右側面から収容される。後述のように、筐体１１０の内部には、磁気センサ４０１が配されている。
【００２８】
図２は、表示入力ユニット１００の側面視における断面を模式的に示した図である。
【００２９】
図２に示すように、タッチパネル１３０は、カバー１３１と、液晶表示部１３２と、タッチパッド１３３と、デジタイザセンサ１３４とから構成されている。これらは、上記の順で、筐体１１０の正面１１０ａ側から裏面１１０ｂ側に向かって重ねられている。
【００３０】
カバー１３１は、透明であり、筐体１１０を覆っている。カバー１３１の表面（筐体１１０の正面１１０ａ側に位置する面）は、平坦な面である。タッチパッド１３３とデジタイザセンサ１３４に対する入力は、カバー１３１の表面を介して行われる。カバー１３１の表面の中央部分は、矩形形状の面である。この面が表示面１３１ａとなっている。表示面１３１ａは、液晶表示部１３２の画像を表示するための領域であるとともに、タッチパッド１３３とデジタイザセンサ１３４に対する入力を受け付ける領域でもある。
【００３１】
液晶表示部１３２は、液晶パネルと、液晶パネルを照明するＬＥＤバックライトとを含み、各種の画像を表示する。
【００３２】
タッチパッド１３３は、透明であり、液晶表示部１３２の上面（筐体１１０の正面１１０ａ側に位置する面）に配され、表示面１３１ａを介して指等による入力（単に、「タッチ入力」と称する。）を受け付ける。タッチパッド１３３は、静電容量式のタッチパッドである。タッチパッド１３３は、タッチ入力が行われると、静電容量の変化に基づいてタッチ入力を検出し、タッチされた位置を示す座標信号と、タッチされた面積を示す面積信号とを出力する。座標信号と面積信号とは、後述する制御部１０に対して、ハードウェア割り込みにより送信される。なお、タッチパッド１３３が、複数のタッチを同時に検出できる、いわゆるマルチタッチに対応したタッチパッドである場合、タッチパッド１３３は、上記のような座標信号および面積信号を、タッチの数だけ出力する。
【００３３】
デジタイザセンサ１３４は、液晶表示部１３２の下面（筐体１１０の裏面１１０ｂ側に位置する面）に配され、表示面１３１ａを介してデジタイザペン１２０による入力を受け付ける。デジタイザセンサ１３４は、デジタイザペン１２０とともに、電磁式のデジタイザを構成する。デジタイザセンサ１３４には、各座標位置にセンサコイルが配されている。デジタイザセンサ１３４は、一定周期で各センサコイルに交流電流を流す。
【００３４】
なお、液晶表示部１３２は、入力を受け付けるための画面の他、各種画面を表示する。タッチパッド１３３およびデジタイザセンサ１３４は、それぞれ、画面に対する「第１受付部」および「第２受付部」を構成する。
【００３５】
デジタイザペン１２０がデジタイザセンサ１３４に接近すると、デジタイザセンサ１３４の各センサコイルに流れる交流電流によって、デジタイザペン１２０の巻線コイルに誘導起電力が生じる。デジタイザペン１２０では、この誘導起電力によって、巻線コイルとコンデンサからなるＬＣ共振回路に電流が流れる。こうして巻線コイルに電流が流れると、デジタイザセンサ１３４側のセンサコイルのうち、デジタイザペン１２０付近のセンサコイルに誘導起電力が生じる。デジタイザセンサ１３４は、最も大きな誘導起電力が生じたセンサコイルを特定し、このセンサコイルの座標位置を示す座標信号を出力する。
【００３６】
デジタイザペン１２０は、デジタイザペン１２０の先端部分が表示面１３１ａに押し当てられると、デジタイザペン１２０の内部に配された巻線コイルが縮むように構成されている。デジタイザペン１２０が表示面１３１ａに押し当てられることにより巻線コイルが縮むと、デジタイザセンサ１３４のセンサコイルを流れる電流量が変化する。デジタイザセンサ１３４は、この電流量の変化に応じて、デジタイザペン１２０が接触したことを示す接触信号を出力する。デジタイザペン１２０の先端部分が表示面１３１ａから離されると、巻線コイルの縮みが解消されるため、デジタイザセンサ１３４のセンサコイルに流れる電流量が変化する。デジタイザセンサ１３４は、この電流量の変化に応じて、デジタイザペン１２０が離間したことを示す離間信号を出力する。
【００３７】
図１（ａ）および（ｂ）に示すように、操作ユニット２００は、筐体２１０と、操作部２２０と、連結部２３０と、を備える。筐体２１０は、上面２１０ａおよび背面２１０ｂを有する所定厚みの直方体形状を有する。後述のように、筐体２１０の内部には、磁石４０２と、シート４０３が配されている。
【００３８】
操作部２２０は、筐体２１０の上面２１０ａに設けられる。操作部２２０をユーザが操作すると、表示入力ユニット１００の液晶表示部１３２に入力結果が表示される。操作部２２０の操作面２２０ａが、筐体２１０の上面２１０ａに配される。操作面２２０ａには、キーボードや操作パッド等が配される。
【００３９】
図１（ａ）に示すように、連結部２３０は、２つの回転部２３１を備える。連結部２３０は、操作面２２０ａに対する表示面１３１ａのなす角が変化可能なように表示入力ユニット１００と操作ユニット２００とを連結する。操作面２２０ａに対する表示面１３１ａのなす角は、０°〜３６０°の範囲で変化可能である。ユーザは、操作面２２０ａに対する表示面１３１ａの角度を所望の角度となるよう調整し、机上等に情報処理装置１を設置する。
【００４０】
図３（ａ）は、情報処理装置１が通常の姿勢にあるときの状態を側方から見た模式図であり、図３（ｂ）は、表示入力ユニット１００が操作ユニット２００の裏側に折り畳まれた状態を側方から見た模式図である。
【００４１】
図３（ａ）および（ｂ）に示すように、情報処理装置１は、磁気センサ４０１と、磁石４０２と、シート４０３とを備える。磁気センサ４０１は、裏面１１０ｂに沿うように、筐体１１０の内部に配される。磁石４０２は、背面２１０ｂに沿うように、筐体２１０の内部に配され、シート４０３は、操作面２２０ａに沿うよう配される。
【００４２】
磁石４０２は、図３（ｂ）に示すように表示入力ユニット１００が操作ユニット２００の裏側に折り畳まれた状態において、磁気センサ４０１に対向するように配置されている。したがって、図３（ｂ）に示す状態において、磁石４０２の磁束が磁気センサ４０１によって検出される。なお、表示入力ユニット１００が操作ユニット２００の上側に折り畳まれた場合も、磁石４０２が磁気センサ４０１に向き合う。シート４０３は、この状態において、磁石４０２の磁束が磁気センサ４０１に到達しないように、磁束をシールドするためのものである。
【００４３】
このように、磁気センサ４０１と磁石４０２とは、表示入力ユニット１００が操作ユニット２００の裏側に折り畳まれた状態（図３（ｂ）の状態）を検出するための検出部を構成する。
【００４４】
なお、図３（ｂ）に示す状態では、表示入力ユニット１００の正面１１０ａと操作ユニット２００の操作面２２０ａが互いに反対側を向くため、ユーザは、正面１１０ａを見ながら、操作面２２０ａに対する操作を行うことができない。すなわち、図３（ｂ）に示す状態は、表示入力ユニット１００に表示された画面に対する入力に操作ユニット２００を用いない使用形態である。これに対し、図３（ａ）に示す状態において、ユーザは、表示入力ユニット１００の正面１１０ａを参照しながら操作ユニット２００の操作面２２０ａを操作できる。すなわち、図３（ａ）に示す状態は、表示入力ユニット１００に表示された画面に対する入力に操作ユニット２００を用いる使用形態である。
【００４５】
以下では、図３（ａ）に示すような、表示入力ユニット１００に表示された画面に対する入力に操作ユニット２００を用いる使用形態を「第１状態」と称し、図３（ｂ）に示すような、表示入力ユニット１００に表示された画面に対する入力に操作ユニット２００を用いない使用形態を「第２状態」と称する。したがって、磁気センサ４０１と磁石４０２とは、情報処理装置１が第２状態にあることを検出するための検出部を構成する。なお、第１状態は、図３（ａ）に示す状態の他、図１（ａ）に示す状態の等、正面１１０ａを参照しながら操作面２２０ａを操作できる他の形態を含むものである。
【００４６】
図４は、情報処理装置１の構成を示すブロック図である。
【００４７】
図４に示すように、表示入力ユニット１００は、上述の構成の他に、さらに、制御部１０を備える。制御部１０は、ＣＰＵ等の演算処理部と、ＲＯＭ、ＲＡＭ、フラッシュメモリ等からなる記憶部１１を含む。記憶部１１は、各種のプログラムを記憶している。制御部１０は、表示入力ユニット１００の各部から信号を受信し、記憶部１１に記憶されたプログラムに従って、表示入力ユニット１００の各部を制御する。
【００４８】
たとえば、制御部１０は、表示入力ユニット１００に表示された画面に対する入力手段として、操作ユニット２００、タッチパッド１３３およびデジタイザセンサ１３４の何れを有効化するかの制御を実行する。また、制御部１０は、タッチパッド１３３およびデジタイザセンサ１３４を有効化した場合に、手書きアプリケーションを起動し、タッチパッド１３３から出力される座標信号および面積信号、ならびに、デジタイザセンサ１３４から出力される座標信号、接触信号および離間信号に応じた手書き機能を実行する。手書きアプリケーションには、液晶表示部１３２に表示された任意の画像の上に重ねて手書きできるノートアプリケーションが含まれる。
【００４９】
ノートアプリケーションの場合、タッチパッド１３３の座標信号が検出されると、座標信号と面積信号に応じて、液晶表示部１３２に表示される画像に対する線の描画が行われる。タッチパッド１３３の座標信号が検出されなくなると、線の描画が終了される。デジタイザペン１２０の接触信号が検出されると、デジタイザセンサ１３４の座標信号に応じて、液晶表示部１３２に表示される画像に対する線の描画が開始される。その後、デジタイザペン１２０の離間信号が検出されるまで、デジタイザペン１２０の移動により出力された座標信号に応じて線が描画される。デジタイザペン１２０の離間信号が検出されると、線の描画が終了される。画像の保存処理が実行されることにより、手書きの線や文字などの画像が背景画像とともに記憶部１１に記憶される。
【００５０】
ところで、上記構成の情報処理装置１は、たとえば、教育現場で使用されることが想定され得る。このような使用形態では、通常、デジタイザペン１２０を用いて、画面に対する入力が行われる。ユーザは、デジタイザペン１２０による筆記入力を行い易いように、情報処理装置１を図１（ａ）に示した第２状態に設定し、表示面１３１ａが上を向くようにして、情報処理装置１を机上等の設置面に置く。この場合、筆記の際にユーザの掌等が表示面１３１ａに置かれてもタッチパッド１３３により誤検出が生じないように、デジタイザペン１２０による入力のみが有効とされることが好ましい。
【００５１】
そこで、本実施形態では、情報処理装置１が第２状態に設定された場合に、自動で、画面に対する入力モードが、デジタイザペン１２０のみを用いて入力を行い得るペン専用モードに設定される。以下、画面に対する入力モードの設定処理について説明する。
【００５２】
［入力モードの切り替え］
図５は、情報処理装置１の入力モードの設定処理を示すフローチャートである。
【００５３】
制御部１０は、磁気センサ４０１の出力に基づいて、情報処理装置１が第２状態にあるか否かを判定する（Ｓ１１）。情報処理装置１が第２状態にない場合（Ｓ１１：ＮＯ）、制御部１０は、画面に対する入力手段として、操作ユニット２００、タッチパッド１３３、およびデジタイザセンサ１３４の何れも有効化する全入力モードを、情報処理装置１の入力モードに設定する（Ｓ１２）。なお、ステップＳ１２で設定される入力モードは、必ずしも、全入力モードでなくてもよく、たとえば、操作ユニット２００による入力のみが可能な入力モードや、操作ユニット２００およびタッチパッド１３３による入力のみが可能な入力モードであってもよい。
【００５４】
情報処理装置１が第２状態にある場合（Ｓ１１：ＹＥＳ）、制御部１０は、タッチパッド１３３による入力（タッチ入力）を有効化する操作（タッチ有効操作）を受け付けたか否かを判定する（Ｓ１３）。タッチ有効操作は、たとえば、画面に配置されたタッチ入力有効化のためのキーや領域等をデジタイザペン１２０でタッチする操作である。この他、タッチ有効操作は、情報処理装置１に配置された所定のハードキーを所定時間以上長押しする操作であってもよい。
【００５５】
タッチ有効操作を受け付けていない場合（Ｓ１３：ＮＯ）、制御部１０は、画面に対する入力手段として、デジタイザセンサ１３４のみを有効化するペン専用モードを、情報処理装置１の入力モードに設定する（Ｓ１４）。なお、情報処理装置１を、第１状態から第２状態に切り替えた直後は、未だ、タッチ有効操作がなされていないため、画面に対する入力モードは、ペン専用モードに設定される。
【００５６】
その後、制御部１０は、処理をステップＳ１１に戻して、同様の処理を実行する。したがって、情報処理装置１が第２状態のままで、且つ、タッチ有効操作がなされていなければ、ペン専用モードがそのまま維持される。ユーザは、情報処理装置１をタッチ入力が有効な状態に切り替えたい場合、情報処理装置１に対して、タッチ有効操作を行う。これにより、制御部１０は、ステップＳ１３における判定をＹＥＳとして、入力モードをタッチ入力のみ有効なモード（タッチ専用モード）に切り替える。
【００５７】
なお、タッチ専用モードが設定された後、再び、入力モードをペン専用モードに戻すための操作（ペン復帰操作）がなされると、入力モードがペン専用モードに再設定される。ペン復帰操作は、たとえば、画面に配置された所定のキーや領域等にタッチ入力を行う操作である。この他、ペン復帰操作は、情報処理装置１に配置された所定のハードキーを所定時間以上長押しする操作であってもよい。
【００５８】
ペン復帰操作がなされると、制御部１０は、ステップＳ１３における判定をＮＯとして、入力モードをペン専用モードに切り替える。なお、ステップＳ１５で設定される入力モードは、必ずしも、タッチ専用モードでなくてもよく、たとえば、タッチ入力とペン入力の両方が可能な入力モードであってもよい。
【００５９】
＜実施形態１の効果＞
以上、実施形態１によれば、以下の効果が奏される。
【００６０】
表示入力ユニット１００が第２状態にあるとき、画面に対する入力は、自動的に、ペン入力のみが可能となる。よって、ユーザは、操作ユニット２００に対する表示入力ユニット１００の状態を切り替えるのみで、確実に、ペン入力を行うことができる。よって、ユーザの利便性が向上する。
【００６１】
図１（ｂ）に示すように、表示入力ユニット１００が第２状態にあるとき、情報処理装置１の形態は、表示面１３１ａと操作面２２０ａとが互いに反対方向を向くように重なっている。このため、表示面１３１ａをユーザの方に向けて、そのまま、液晶表示部１３２に対してペン入力を行うことができる。これにより、ユーザは、表示入力ユニット１００をタブレット端末のように使用することができる。
【００６２】
図３（ａ）および（ｂ）に示すように、表示入力ユニット１００が第２状態であることが、磁気センサ４０１および磁石４０２を用いて検出される。これにより、第２状態を検出するための検出部を簡単な構成にでき、且つ、表示入力ユニット１０１が第２状態であることを円滑に検出できる。
【００６３】
なお、実施形態１では、表示入力ユニット１００に磁気センサ４０１を設け、操作ユニット２００に磁石４０２を設けたが、表示入力ユニット１００に磁石４０２を設け、操作ユニット２００に磁気センサ４０１を設けても構わない。また、メカニカルスイッチ等の他の検出手段を用いて、表示入力ユニット１００が第２状態であることを検出するようにしてもよい。
【００６４】
また、ユーザは、第２状態において、画面に対する入力モードを、適宜、ペン専用モードからタッチ専用モードへと切り替えることができる。たとえば、ユーザは、デジタイザペン１２０を紛失したような場合に、ハードキーを用いたタッチ有効操作によって、画面に対する入力をタッチ入力により進めることができる。また、情報処理装置１の使用場面に応じて、ユーザは、ペン入力およびタッチ入力の何れかを自由に選択することがきる。これにより、画面入力におけるユーザの利便性をさらに高めることができる。
【００６５】
＜実施形態２＞
実施形態２では、操作ユニット２０１が表示入力ユニット１０１に対して着脱可能となっている。実施形態２では、操作ユニット２０１が表示入力ユニット１０１に装着された状態が、画面に対する入力に操作ユニット２０１を用い得る「第１状態」に対応し、操作ユニット２０１が表示入力ユニット１０１から取り外された状態が、画面に対する入力に操作ユニット２０１を用い得ない「第２状態」に対応する。
【００６６】
図６（ａ）は、情報処理装置２において、表示入力ユニット１０１に操作ユニット２０１が装着された状態を示す斜視図であり、図６（ｂ）は、情報処理装置２において、表示入力ユニット１０１から操作ユニット２０１が取り外された状態を示す斜視図である。図７は、情報処理装置２において、表示入力ユニット１０１の背面下部の構成を示す図である。便宜上、図６（ａ）、（ｂ）および図７において、上記実施形態１と同一部分には同一符号を付して、説明を省略する。
【００６７】
図６（ａ）および（ｂ）に示すように、実施形態２に係る情報処理装置２は、連結部２３０の構成が、上記実施形態１に係る連結部２３０と相違している。
【００６８】
すなわち、連結部２３０は、支持部２３２と、回転部２３３と、レバー２３４と、支持板２３５と、鍔部２３６と、係合部２３７と、を備える。また、連結部２３０には、端子４０５が設けられている。
【００６９】
支持部２３２は、筐体２１０に２つ設けられており、回転部２３３を回転可能に支持する。回転部２３３は、所定の角度範囲で回転可能に支持部２３２に支持されている。レバー２３４は、回転部２３３に設けられており、表示入力ユニット１０１を操作ユニット２０１から取り外すときに用いられる。
【００７０】
支持板２３５は、表示入力ユニット１０１を操作ユニット２０１に装着したとき、筐体１１０の裏面１１０ｂ側から表示入力ユニット１００を支持する。支持板２３５は、下端部に傾斜面が形成されている。この傾斜面は、支持板２３５が筐体１１０を支持するとき、筐体１１０の傾斜面１１０ｃ（図７参照）に沿うように形成されている。鍔部２３６は、回転部２３３に２つ設けられている。係合部２３７も、回転部２３３に２つ設けられている。係合部２３７の形状は、鉤状となっている。
【００７１】
図７に示すように、表示入力ユニット１０１の筐体１１０には、凹部１４１および鉤穴１４２がそれぞれ２つずつ設けられている。筐体１１０の裏面１１０ｂの中央部分は平面であり、この平面から筐体１１０の各側面に向かって緩やかな傾斜面が形成されている。これら傾斜面のうち、筐体１１０の底面側に向かう傾斜面１１０ｃに端子４０４が設けられている。
【００７２】
図６（ｂ）の状態から、支持板２３５に沿って表示入力ユニット１０１が下方に押し込まれることにより、図６（ａ）に示すように、表示入力ユニット１０１と操作ユニット２０１とが連結される。このとき、操作ユニット２０１側の２つの鍔部２３６が表示入力ユニット１０１側の２つの凹部１４１にそれぞれ嵌り込み、また、操作ユニット２０１側の２つの係合部２３７が表示入力ユニット１０１側の２つの鉤穴１４２にそれぞれ係合する。このとき同時に、操作ユニット２０１側の端子４０５が表示入力ユニット１０１側の端子４０４に接続される。端子４０４、４０５の接続により、表示入力ユニット１０１と操作ユニット２０１が電気的に接続される。
【００７３】
図６（ａ）の状態から操作ユニット２０１を表示入力ユニット１０１から取り外す場合、ユーザは、まず、レバー２３４をスライドさせる。これにより、係合部２３７と鉤穴１４２との係合が解除され、表示入力ユニット１０１が上方に抜き取り可能となる。この状態で、ユーザは、表示入力ユニット１０１を上方に持ち上げる。これにより、図６（ｂ）に示すように、操作ユニット２０１が表示入力ユニット１０１から取り外される。
【００７４】
図８は、情報処理装置２の構成を示すブロック図である。図８において、上記実施形態１で示した図４の構成と同一部分には同一符号を付して説明を省略する。
【００７５】
図８に示すように、実施形態２の情報処理装置２では、上述のように、操作ユニット２０１が表示入力ユニット１０１に装着されると、端子４０４と端子４０５とが電気的に接続される。これにより、ユーザは、表示入力ユニット１０１に表示された画面に対して、操作ユニット２０１による入力を行うことができる。また、操作ユニット２０１が表示入力ユニット１０１から取り外されると、端子４０４と端子４０５との間の電気的な接続が解除される。このため、この状態において、ユーザは、表示入力ユニット１０１に表示された画面に対して、操作ユニット２０１による入力を行いえない。
【００７６】
したがって、実施形態２では、操作ユニット２０１が表示入力ユニット１０１に装着された状態が、上記のように「第１状態」（画面に対して操作ユニット２０１による入力を行う状態）となり、操作ユニット２０１が表示入力ユニット１０１から取り外された状態が、上記のように「第２状態」（画面に対して操作ユニット２０１による入力を行わない状態）となる。
【００７７】
制御部１０は、端子４０４が端子４０５に電気的に接続されているか否かを検出することにより、表示入力ユニット１０１が第１状態と第２状態の何れにあるかを判定する。そして、制御部１０は、その判定結果（第１状態／第２状態）に基づいて、画面に対する入力モードを設定する。入力モードの設定処理は、図５に示した処理と同様である。すなわち、実施形態２では、表示入力ユニット１０１が第１状態と第２状態の何れにあるかの判定方法が、実施形態１と異なるのみで、判定結果に基づく入力モードの設定処理は、図５に示した処理と同様である。
【００７８】
＜変更例＞
以上、本発明の実施形態について説明したが、本発明は上記実施形態に制限されるものではなく、本発明の実施形態も上記以外に種々の変更が可能である。
【００７９】
たとえば、上記実施形態１、２では、表示入力ユニット１００、１０１が第２状態にあるときに、入力モードをペン専用モードからタッチ専用モードに切替可能であったが、この機能は、必ずしも必須なものではなく、表示入力ユニット１００、１０１が第２状態にあるときは、入力モードがペン専用モードに固定されてもよい。
【００８０】
また、上記実施形態１、２では、ペン入力のための構成としてデジタイザが用いられたが、その他の構成によりペン入力が実現されてもよい。
【００８１】
この他、本発明の実施形態は、特許請求の範囲に示された技術的思想の範囲内において、適宜、種々の変更が可能である。
【符号の説明】
【００８２】
１、２  情報処理装置
１０  制御部
１００、１０１  表示入力ユニット
１２０  筆記具（ペン、デジタイザペン）
１３１ａ  表示面
１３２  画面（液晶表示部）
１３３  第１受付部（タッチパッド）
１３４  第２受付部（デジタイザセンサ）
２００、２０１  操作ユニット
２２０  操作部
２２０ａ  操作面
４０１  磁気センサ（検出部）
４０２  磁石（検出部）
４０３  端子（検出部）
４０４  端子（検出部）
【図１】
2019028598.tif 000003
【図２】
2019028598.tif 000004
【図３】
2019028598.tif 000005
【図４】
2019028598.tif 000006
【図５】
2019028598.tif 000007
【図６】
2019028598.tif 000008
【図７】
2019028598.tif 000009
【図８】
2019028598.tif 000010